(57)【要約】【課題】  犯罪工具によるサムターン回しや破壊を困難にし、高い防犯性能を付与できるとともに、外観デザインが容易なサムターンカバーを得る。【解決手段】  サムターンカバー１００において、既設サムターンの取付板１９に固定されサムターン摘み２９を表出させ外周縁に沿って返し片３３を有するサムターン座１１と、サムターン座１１の上部に、揺動自在に支持され閉止位置で外周縁１３ａを返し片３３の内側に重ね、且つ揺動端側表面に凹部３７を有するカバー１３と、カバー１３凹部３７から突出するボタン４７を有するとともにサムターン座１１に設けられた係止部に対し係止する係止爪を有しボタン４７のカバー閉方向の押し込みによって係止を解除させるロックレバー１５とを設けた。【選択図】      図１
2006118313.tif 000002
【特許請求の範囲】
【請求項１】
既設サムターンの取付板に固定され、該既設サムターンの内部機構を覆うとともに、サムターン摘みを表出させ、外周縁に沿って扉屋内面に対して垂直に起立した返し片を有するサムターン座と、
前記サムターン座の上部に前記扉屋内面に平行でかつ横方向の軸を介して揺動自在に支持されて開閉自在とされ、閉止位置で外周縁を前記返し片の内側に重ねて前記サムターン摘みと共に前記サムターン座を覆い、開放位置で前記サムターン摘み及び前記サムターン座を露出させ、且つ、揺動端側の表面に凹部を有するカバーと、
該カバーの前記凹部から押し込み可能に突出するボタンを有するとともに、前記サムターン座に設けられた係止部に対し前記カバーの開動に伴って該係止部から反力を受けて係止代の増す方向に係止面を摺動させて係止状態とする係止爪を有し、前記ボタンのカバー閉方向と同方向となる押し込み操作によって該係止状態を解除させるロックレバーと、
を具備することを特徴とするサムターンカバー。
【請求項２】
前記凹部が独立して複数形成され、
該凹部のそれぞれに対応して前記ロックレバーが複数設けられていることを特徴とする請求項１記載のサムターンカバー。
【請求項３】
前記カバーを閉方向へ付勢する付勢手段が前記サムターン座と該カバーとに亘って設けられていることを特徴とする請求項１又は２記載のサムターンカバー。
【請求項４】
前記カバーを閉鎖位置と開放位置とのそれぞれで位置保持させる開閉位置規制手段が前記サムターン座と該カバーとに亘って設けられていることを特徴とする請求項１，２，３のいずれか１つに記載のサムターンカバー。
【請求項５】
前記既設サムターンの摘みを覆う前記カバーの部位が、前記摘みを視認可能な透明部材からなることを特徴とする請求項１，２，３，４のいずれか１つに記載のサムターンカバー。
【発明の詳細な説明】
【技術分野】
【０００１】
本発明は、既設サムターンを露出可能に覆って不正なサムターン操作を行い難くするサムターンカバーに関する。
【背景技術】
【０００２】
例えばサムターン付きの施錠装置には、扉の屋内側の面にケースを表出させて取り付けるタイプのものがある。この施錠装置は、扉の屋外側にシリンダー錠が設けられ、扉の屋内側に回転式のサムターンが設けられる。ケース又は扉内に設けられた錠箱には、ロック部材である例えばデッドボルトが進退自在に設けられる。そして、屋外側に表出したシリンダー錠の鍵孔に、合鍵（キー）を挿入して回転操作することによって、デッドボルトが進退され、扉開口枠に設けたストライクに対して施解錠が行われる。また、屋内側からは、サムターンが回転操作されるのみで、デッドボルトが進退され、施解錠が簡便に行えるようになっている。このサムターンは、手動にて回転操作されることで、施解錠が行えるものの他に、扉の閉鎖動作に連動して電動で回転して施錠を行う電動サムターンなどもある。
【０００３】
ところが、近年、ポストの投入口や、機械工具によって開けた小さな穴から針金等を挿入し、回転操作の容易なサムターンに係止して回転させ、施錠装置を不正に解錠する犯罪（所謂サムターン回し）が増えている。このようなサムターンに針金等を係止して回転させることを防止するものに例えばサムターンをケースごと覆うサムターン用防犯カバーが提案されており、特に、電動サムターンの場合は、屋内側からの操作を行う頻度が少ない場合などでは常時カバーで覆うこともある。
【発明の開示】
【発明が解決しようとする課題】
【０００４】
しかしながら、サムターンをケースごと覆う従来のサムターン用防犯カバーは、その台座を両面接着テープ等によって、既設サムターンのケース周囲に固定する構造や、サムターンの外装部材であるサムターンリングや化粧リングと扉屋内面との間に座板を挟み入れ、それら台座や座板に対してカバーが開閉される構造が一般的であり、すなわち簡素な構造で後付け施工とされているため、簡便に防犯効果を得ることはできるものの、台座とカバーとの間隙に、犯罪工具を挿入することにより簡単にこじ開けられたり、側部からの衝撃により脱落し易い問題があった。そして、既設サムターンをケースごと覆う構造では、小型化が難しく、コストが嵩み、かつ屋内内装の一部となり得る違和感のない外観デザイン、例えば扉とのデザイン統一性や他の金具類等との意匠性を合せることが困難となった。また、サムターンリングと扉屋内面との間に座板を挟み入れる構造では、組み付け作業性が悪く、かつ十分な取り付け強度を得ることができない虞があった。さらに、従来のサムターン用防犯カバーでは、サムターン摘みが覆い隠されることにより、サムターン摘みの向きが目視できなくなるため、扉の施解錠状態が把握できなくなり、確認のためにはその都度、カバーを開けなければならず、施解錠の操作性が低下した。
【０００５】
本発明は上記状況に鑑みてなされたもので、犯罪工具によるサムターン回しや破壊を困難にし、高い防犯性能を付与できるとともに、安価、かつ良好な組み付け作業性、操作性を実現でき、しかも、外観デザインが容易なサムターンカバーを得ることにある。
【課題を解決するための手段】
【０００６】
次に、上記の課題を解決するための手段を、実施の形態に対応する図面を参照して説明する。
本発明の請求項１記載のサムターンカバー１００は、既設サムターンの取付板１９に固定され、該既設サムターンの内部機構２７を覆うとともに、サムターン摘み２９を表出させ、外周縁１１ａに沿って扉屋内面１７ａに対して垂直に起立した返し片３３を有するサムターン座１１と、
前記サムターン座１１の上部に前記扉屋内面１７ａに平行でかつ横方向の軸３９を介して揺動自在に支持されて開閉自在とされ、閉止位置で外周縁１３ａを前記返し片３３の内側に重ねて前記サムターン摘み２９と共に前記サムターン座１１を覆い、開放位置で前記サムターン摘み２９及び前記サムターン座１１を露出させ、且つ、揺動端側の表面に凹部３７を有するカバー１３と、
該カバー１３の前記凹部３７から押し込み可能に突出するボタン４７を有するとともに、前記サムターン座１１に設けられた係止部５５に対し前記カバー１３の開動に伴って該係止部５５から反力を受けて係止代の増す方向に係止面を摺動させて係止状態とする係止爪４９を有し、前記ボタン４７のカバー閉方向と同方向となる押し込み操作によって該係止状態を解除させるロックレバー１５と、
を具備することを特徴とする。
【０００７】
このサムターンカバー１００では、カバー１３が閉められると、サムターン座１１の返し片３３に、カバー１３の外周縁１３ａが内側で重なって嵌合される。これにより、サムターン座１１とカバー１３との間に、工具等を挿入する間隙が生じなくなる。また、外周縁同士が重なる、所謂オーバーラップする構造により、扉屋内面方向の耐力が増大する。そして、既設サムターンが、カバー単品のみによって覆われ、構造が簡素となる。
また、カバー１３は、サムターン座１１の上部に、横方向の軸３９を介して支持されるので、上方へ全開するように大きく開く。
さらに、凹部３７にボタン４７が配設され、カバー閉方向と同方向に凹部３７を押し込むので、屋内側からの指による操作は容易になり、工具等を用いた不正なボタン押し込みは困難となる。これに加え、ロックレバー１５の係止爪４９は、カバー１３の開放方向の外力によっては係止代を増す方向に作用するので、単純にカバー１３を開こうとするような不正な開放方法では一層ロック解除され難くなる。
【０００８】
請求項２記載のサムターンカバー１００は、前記凹部３７が独立して複数形成され、
該凹部３７のそれぞれに対応して前記ロックレバー１５が複数設けられていることを特徴とする。
【０００９】
このサムターンカバー１００では、ロックレバー１５が複数となり、すなわち、複数のボタン４７を同時に押し込まなければ解除されなくなる。このことから、さらに不正な操作を困難なものとし、防犯性を向上させることが可能となる。
【００１０】
請求項３記載のサムターンカバー１００は、前記カバー１３を閉方向へ付勢する付勢手段が前記サムターン座１１と該カバー１３とに亘って設けられていることを特徴とする。
【００１１】
このサムターンカバー１００では、仮にロックレバー１５によるカバー１３のロックが不正に解除された場合であっても、カバー１３が閉状態に維持されたままであり、すなわち、ボタン４７の押し込み操作と、カバー１３を掴み持ち開放させるという操作が必要となり、不正な方法ではサムターン操作が行い難くなる。
【００１２】
請求項４記載のサムターンカバー１００は、前記カバー１３を閉鎖位置と開放位置とのそれぞれで位置保持させる開閉位置規制手段６３が前記サムターン座１１と該カバー１３とに亘って設けられていることを特徴とする。
【００１３】
このサムターンカバー１００では、サムターンの摘み２９の操作不要時には、カバー１３が閉止状態に規制され、また、サムターン摘み２９の操作時にはカバー１３が開放状態に保持される。
【００１４】
請求項５記載のサムターンカバー１００は、前記既設サムターンの摘み２９を覆う前記カバー１３の部位６５が、該摘み２９を視認可能な透明部材からなることを特徴とする。
【００１５】
このサムターンカバー１００では、カバーロック状態においても、カバー１３を開放することなくサムターン摘み２９の向きが透明な部位６５を介して視認可能となる。すなわち、施錠状態であるか、解錠状態であるかを、カバー１３の無いサムターンと同様に容易に確認可能となる。
【発明の効果】
【００１６】
本発明に係る請求項１記載のサムターンカバーによれば、外周縁に沿って返し片を有したサムターン座を、既設サムターンに係合して扉屋内面に取り付け、このサムターン座の上部に、サムターン摘みと共にサムターン座を覆うカバーを横方向の軸を介して揺動自在に設け、閉止時にはカバーの外周縁を返し片の内側に重ねて覆うようにしたので、サムターン座とカバーとの間隙に、工具等を挿入することによるこじ開けを困難にすることができ、かつ外周縁同士が重なる、所謂オーバーラップする構造により、扉屋内面方向のがたつきを生じ難くして、嵌合強度を高め、工具等による破壊を困難にすることができる。この結果、高い防犯性を付与できる。そして、既設サムターンを、カバー単品のみによって覆うようにしたので、内部機構に一致させた最小の限界設計が容易に行えるとともに、構造が簡素となって、部品コストを安価にし、かつ良好な組み付け作業性を実現でき、しかも、屋内内装、例えば住宅内装やホテル居室内装の一部となり得る違和感のない外観デザインが容易に可能となる。
また、カバーは、サムターン座の上部に、横方向の軸を介して上方へ大きく開くので、サムターン操作時の邪魔にならず、良好なサムターン操作性を実現できる。
さらに、凹部内に突出させたボタンをカバー閉方向へ押し込むことにより、ロックレバーによる係止を解除してカバーの開放を可能とするので、屋内側からの指による押し込み操作は容易に行える一方、工具等を用いた不正なボタンの押し込みの場合には、ボタンが凹部内に位置しているので、解除を困難にすることができる。しかも、ロックレバーの係止爪はカバーの開放方向の外力によっては係止代を増す方向に作用するので、すなわちカバーのみ開放させようとする作用に対してはさらに係止状態となることから、良好な操作性を確保しつつ防犯性能を一層高めることができる。
【００１７】
請求項２記載のサムターンカバーによれば、複数の凹部を独立させてカバーに設け、それぞれの凹部に対応させてロックレバーを設けたので、複数のボタンを同時に押し込なければカバーのロックを解除できず、防犯性を一層高めることができる。
【００１８】
請求項３記載のサムターンカバーによれば、カバーを閉方向へ付勢する付勢手段を設けたので、仮にロックレバーによるカバーのロックが解除された場合であっても、カバーが閉状態を維持するため、工具等による不正なサムターン回しを行い難くすることができる。
【００１９】
請求項４記載のサムターンカバーによれば、カバーを閉鎖位置と開放位置とのそれぞれで位置保持させる開閉位置規制手段を設けたので、サムターン摘みの操作不要時には、カバーを閉止状態に規制して防犯性を高めるとともに、サムターン摘みの操作時にはカバーを開放状態に保持させ、カバーへの干渉をなくして操作性を良好にすることができる。
【００２０】
請求項５記載のサムターンカバーによれば、既設サムターンの摘みを覆うカバーの部位に透明部材を用いたので、カバーロック状態においても、カバーを開放することなくサムターン摘みの向きが透明な部位を介して視認可能となり、錠箱による扉の施解錠状態を容易に確認でき、利便性を高めることができる。
【発明を実施するための最良の形態】
【００２１】
以下、本発明に係るサムターンカバーの好適な実施の形態を図面を参照して詳細に説明する。
図１は本発明に係るサムターンカバーの縦断面図である。
本実施の形態によるサムターンカバー１００は、サムターン座１１と、カバー１３と、ロックレバー１５とを主要な構成部材として有している。
【００２２】
図２は図１のロックレバー近傍の要部拡大断面図である。
サムターン座１１は、扉１７の屋内面１７ａに設けられた既設サムターンの取付板１９に固定される。取付板１９は、図示しないねじやボルト等によって屋内面１７ａに螺着される。サムターン座１１は、下部内壁に形成された爪２１を、取付板１９の係止穴２３に係止させ、上部は挿通部２５に挿通される図示しないねじ等によって取付板１９へ螺着される。サムターン座１１は、既設サムターンの内部機構２７を覆う。また、サムターン摘み２９を表出させる軸貫通台座３１を備えている。
【００２３】
図３は図１に示したカバーの正面図である。
サムターンカバー１００は、サムターン座１１にカバー１３が被せられることで、サムターン座１１とサムターン摘み２９とがカバー１３によって覆われるようになっている。
【００２４】
図４は図１に示したサムターン座の横断面図である。
サムターン座１１には外周縁１１ａに沿って屋内面１７ａに垂直に起立した返し片３３が形成されている。サムターン座１１の側面１１ｂと、この返し片３３との間には間隙３５が形成される。
【００２５】
図３に示すように、カバー１３は、表面の揺動端となる下端側に凹部３７，３７を有する。凹部３７は、一つであっても、複数であってもよい。本実施の形態では２つの凹部３７，３７が設けられている。カバー１３は、サムターン座１１の上部に、屋内面１７ａに平行でかつ横方向の軸３９を介して揺動自在に支持されている。軸３９は、カバー１３の上部内壁の左右から内側に突出され、サムターン座１１の相当位置に設けられた軸受け穴４１（図１参照）に挿入される。
【００２６】
カバー１３は、図１に実線で示す閉止位置で、外周縁１３ａを返し片３３の内側に重ねて、サムターン摘み２９と共にサムターン座１１を覆い、図１に一点鎖線で示す開放位置でサムターン摘み２９及びサムターン座１１を露出させる。
【００２７】
図５は図３に示したカバーを裏側から見た背面図である。
カバー１３にはそれぞれの凹部３７，３７に対応して、２つのロックレバー１５が設けられる。ロックレバー１５は、図５に示すカバー１３の下部内側に平行に突出された複数の支持板４３によって図２に示す軸部４５が回動自在に支持される。ロックレバー１５は、本実施の形態では略Ｚ字状に形成され、中途部分の軸部４５を挟んで一端側にボタン４７が形成され、他端側に係止爪４９が形成される。
【００２８】
ボタン４７は、凹部３７に形成されたボタン表出穴５１からカバー１３の表面側へと突出される。このボタン４７は、突出状態においても、図２に示すように、凹部３７より突出することはない。つまり、ボタン４７は、凹部３７に挿入される指先によって押し込まれるようになっている。
【００２９】
係止爪４９は鉤状に形成され、その先端には係止面としての段部５３が形成され、段部５３はサムターン座１１に形成された段部を有する係止部５５に係止するようになっている。軸部４５には、つるまきばね５７が外挿され、つるまきばね５７の一端はロックレバー１５の係止片５９に係止され、他端はカバー１３の係止溝６１（図５参照）に当接されている。ロックレバー１５は、つるまきばね５７によって図２の時計回り方向に付勢され、通常時にはボタン４７を凹部３７へ突出させ、係止爪４９を係止部５５へ係止するように配置される。
【００３０】
これにより、ボタン４７は、凹部３７において押し込み可能に突出する。ロックレバー１５は、ボタン４７が押し込まれることによって、軸部４５を中心に揺動し、係止爪４９による係止が解除される。ロックレバー１５とサムターン座１１との係止手段は、係止爪４９と係止部５５とに互いに噛み合うような対向状態の段部を有していることから、カバー１３の開動に伴って係止部５５から反力を受けて、段部同士の係止力が増す方向に作用する。この他、ロックレバー１５とサムターン座１１との係止手段は、段部に変えて、カバー１３の開動に伴って係止部５５から反力を受けて係止代の増す方向に摺動する斜面として構成し、係止面としても良い。
【００３１】
カバー１３には２つの凹部３７が独立して形成され、この凹部３７，３７のそれぞれに対応してロックレバー１５が設けられるので、２つのボタン４７，４７が同時に押し込まれなければ係止爪４９，４９による係止解除が行われない。すなわち、各ロックレバー１５はそれぞれで係止しており、これらを同時に操作しなければならず、これにより、防犯性が一層高められるようになっている。
【００３２】
サムターンカバー１００には、サムターン座１１とカバー１３とに亘って図１に示す開閉位置規制手段６３が設けられている。開閉位置規制手段６３は、カバー１３を閉鎖位置と開放位置とのそれぞれで位置保持させる。すなわち、操作不要時には、カバー１３を閉止状態に規制し、操作時にはカバー１３を開放状態に保持する。これにより、操作不要時には、カバー１３を閉止状態に規制して防犯性を高めるとともに、操作時にはカバー１３を開放状態に保持させ、カバー１３への干渉をなくして、サムターン摘み２９の回動操作性を良好にすることができる。なお、開閉位置規制手段６３は、カバー１３の内壁面に所定位置で突設した２つの突起６３ａ，６３ｂと、サムターン摘み２９の対向面に形成した図示しない１つの嵌入凹部とで構成することができる。
【００３３】
また、カバー１３は、サムターン摘み２９を覆う部位６５が、サムターン摘み２９の視認可能な透明部材からなる。したがって、カバー１３がロック状態においても、カバー１３を開放することなくサムターン摘み２９の向きが透明な部位６５を介して視認可能となる。これにより、錠箱による扉の施解錠状態を容易に確認でき、利便性を高めることができるようになっている。
【００３４】
つぎに、このように構成されるサムターンカバー１００の作用を説明する。
図６は閉止状態のロックレバー近傍の要部拡大断面図、図７はボタン押し込み状態のロックレバー近傍の要部拡大断面図、図８はカバー開放状態のサムターンカバーの側面図、図９は図８の正面図、図１０はロックレバーが係止状態へと戻りかけた過程を表した要部拡大断面図である。
【００３５】
サムターンカバー１００では、図６に示すように、カバー１３が閉められると、サムターン座１１の返し片３３に、カバー１３の外周縁１３ａが内側で重なって嵌合される。これにより、サムターン座１１とカバー１３との間に、工具等を挿入する間隙が生じなくなる。また、外周縁同士が重なる、所謂オーバーラップする構造により、扉屋内面に平行な方向、或いはサムターン摘みを回転する方向に平行な方向の耐力が増大する。
【００３６】
このカバー閉止状態では、ロックレバー１５の係止爪４９が係止部５５に係止しており、単にカバー１３を開放方向に揺動しようとすれば、段部同士が噛み合い、より強い係止状態となる。また、ボタン表出穴５１から突出したボタン４７は、凹部３７内に収まり、例えば凹部３７より大径の棒や、凹部３７内に進入可能ではない先端形状の棒等によっては押し込み不能となる。
【００３７】
一方、サムターン摘み２９を操作するには、図７に示すように、凹部３７内のボタン４７が指で押し込まれる。すると、ロックレバー１５がつるまきばね５７の付勢力に抗して同図の反時計回りに回動され、係止爪４９が係止部５５から外れ、ロックレバー１５とサムターン座１１との係止が解除される。この際、２つのボタン４７が同時に押し込まれ、かつその状態でカバー１３が開放方向へと開かれることとなる。つまり、一方の手の指を２本同時に使って２つのボタン４７，４７を押し込み操作し、他方の手でカバー１３を掴み持ち開放させる、という両手での操作となる。
【００３８】
カバー１３が全開されると、図８に示すように、開閉位置規制手段６３によって、カバー１３が全開位置のまま保持される。これにより、図９に示すように、サムターン摘み２９がサムターン座１１と共に略全面で表出し、手指がカバー１３に干渉しない良好なサムターン操作が可能となる。
【００３９】
サムターン摘み２９の所定の回動操作後、カバー１３が閉動されると、先ず開閉位置規制手段６３の保持が解除され、カバー１３が再びサムターン座１１に被せられる。カバー１３は、ロックレバー１５の係止爪４９がサムターン座１１の係止部５５の角部に接触すると、図１０に示すように、つるまきばね５７の付勢力に抗して反時計回りに回動され、係止爪４９が角部を乗り越えて係止部５５に一致することで、つるまきばね５７の付勢力によって、係止部５５内へと係止爪４９が進入して係止状態となる。この際、同時に、カバー１３の外周縁１３ａは、再びサムターン座１１の返し片３３の内側に重なり嵌りあうこととなる。
【００４０】
したがって、上記のサムターンカバー１００によれば、外周縁１３ａに沿って返し片３３を有したサムターン座１１を、既設サムターンに係合して扉屋内面１７ａに取り付け、このサムターン座１１の上部に、サムターン摘み２９と共にサムターン座１１を覆うカバー１３を横方向の軸３９を介して揺動自在に設け、閉止時にはカバー１３の外周縁１３ａを返し片３３の内側に重ねて覆うようにしたので、サムターン座１１とカバー１３との間隙に、工具等を挿入することによるこじ開けを困難にすることができ、かつ外周縁同士が重なる（オーバーラップする）構造により、扉屋内面方向のがたつきを生じ難くして、嵌合強度を高めて、犯罪工具による破壊を困難にすることができる。この結果、高い防犯性を付与できる。
【００４１】
そして、既設サムターンを、カバー単品のみによって覆うようにしたので、内部機構２７に一致させた最小の限界設計が容易に行えるとともに、構造が簡素となって、部品コストを安価にし、かつ良好な組み付け作業性を実現でき、しかも、住宅内装等屋内内装の一部となり得る違和感のない外観デザインが容易に可能となる。
【００４２】
また、カバー１３は、サムターン座１１の上部に、横方向の軸３９を介して上方へ全開させるように大きく開くので、サムターン摘み２９操作時の邪魔にならず、良好なサムターン操作性を実現できる。さらに、凹部３７に突出させたボタン４７をカバー閉方向へ押し込むことにより、ロックレバー１５による係止を解除してカバー１３の開放を可能とするので、屋内側からの指による押し込み操作は容易に行える一方、工具等を用いた不正なボタン押し込みの場合には、ボタン４７が凹部内に位置しているので、解除を困難にすることができる。
【００４３】
しかも、ロックレバー１５の係止爪４９は、カバー１３の開放させる方向の外力によっては係止代を増す方向に作用するので、良好な操作性を確保しつつ防犯性能を一層高めることができる。
【００４４】
なお、本発明に係るサムターンカバーは、カバー１３を閉方向へ付勢する付勢手段が、サムターン座１１とカバー１３とに亘って設けられる構成としてもよい。このような構成によれば、仮にロックレバー１５によるカバー１３のロックが不正に解除された場合であっても、カバー１３が閉状態に維持され、不正な方法ではサムターン操作が行い難くなる。
【図面の簡単な説明】
【００４５】
【図１】本発明に係るサムターンカバーの縦断面図である。
【図２】図１のロックレバー近傍の要部拡大断面図である。
【図３】図１に示したカバーの正面図である。
【図４】図１に示したサムターン座の横断面図である。
【図５】図３に示したカバーを裏側から見た背面図である。
【図６】閉止状態のロックレバー近傍の要部拡大断面図である。
【図７】ボタン押し込み状態のロックレバー近傍の要部拡大断面図である。
【図８】カバー開放状態のサムターンカバーの側面図である。
【図９】図８の正面図である。
【図１０】ロックレバーが係止状態へと戻りかけた過程を表した要部拡大断面図である。
【符号の説明】
【００４６】
１１…サムターン座
１１ａ，１３ａ…外周縁
１３…カバー
１５…ロックレバー
１７ａ…扉屋内面
１９…取付板
２７…内部機構
２９…サムターン摘み
３３…返し片
３７…凹部
３９…軸
４７…ボタン
４９…係止爪
５５…係止部
６３…開閉位置規制手段
６５…摘みを覆うカバーの部位
１００…サムターンカバー
【図１】
2006118313.tif 000003
【図２】
2006118313.tif 000004
【図３】
2006118313.tif 000005
【図４】
2006118313.tif 000006
【図５】
2006118313.tif 000007
【図６】
2006118313.tif 000008
【図７】
2006118313.tif 000009
【図８】
2006118313.tif 000010
【図９】
2006118313.tif 000011
【図１０】
2006118313.tif 000012